(57)【特許請求の範囲】
【請求項１】
合成樹脂製カバー材の一部に、金属材料製カバー材を被せて固定して外装部を構成したカメラにおいて、
金属材料製カバー材は、箱形をなすカメラの正面で合成樹脂製カバー材を覆い、周縁部がカメラの一側部に位置し、
上記カメラの一側部において、合成樹脂製カバー材に、カメラ内方へ向けて板面と略直交する方向に凹部を形成し、金属材料製カバー材の周縁部に、カメラ内方へ向けて板面と略直交する方向に凸部を突出形成し、該凹部と凸部の係合により合成樹脂製カバー材と金属材料製カバー材の周縁部とを係合させ、
カメラの正面に、金属材料製カバー材の外側から止着される第三の表面部材を設け、この第三の表面部材を介して、カメラ正面側で合成樹脂製カバー材と金属材料製カバー材を結合させたことを特徴とするカメラの複合カバー材構造。
【請求項２】
請求項１記載のカメラの複合カバー材構造において、
カメラの正面側に、合成樹脂製カバー材と金属材料製カバー材を貫通する貫通穴を設け、
上記第三の表面部材は、合成樹脂製カバー材と金属材料製カバー材に対向する面に、上記貫通穴に挿入される弾性変形可能な一対の弾性鈎状部を有し、
該一対の弾性鈎状部は、上記貫通穴を通過するときに互いに接近する方向に弾性変形され該貫通穴を通過すると復元して合成樹脂製カバー材の内面に係合し、該係合により第三の表面部材を抜け止めると共に該第三の表面部材の本体部との間に合成樹脂製カバー材と金属材料製カバー材を挟着するカメラの複合カバー材構造。
【請求項３】
請求項１または２記載のカメラの複合カバー材構造において、上記金属材料製カバーは、上記第三の表面部材の止着状態で該第三の表面部材の外縁部を全周に亘り嵌合させる凹状の段部を有するカメラの複合カバー材構造。
【請求項４】
請求項１ないし３のいずれか１項記載のカメラの複合カバー材構造において、金属材料製カバー材と上記合成樹脂製カバー材を貫通する窓用開口部を有し、該窓用開口部に透明窓部材が嵌まっているカメラの複合カバー材構造。
【請求項５】
請求項４記載のカメラの複合カバー材構造において、上記透明窓部材は、その外縁に上記窓用開口部を通過不能な鍔部を有しており、該鍔部が上記金属材料製カバー材と合成樹脂製カバー材の間に挟着されて透明窓部材が保持されるカメラの複合カバー材構造。
【請求項６】
請求項１ないし５のいずれか１項記載のカメラの複合カバー材構造において、上記第三の表面部材は、カメラのグリップ部であるカメラの複合カバー材構造。
【発明の詳細な説明】
【０００１】
【技術分野】
本発明は、合成樹脂製のカバー材に金属材料製のカバー材を被せて外装部を構成するカメラの複合カバー材構造に関する。
【０００２】
【従来技術及びその問題点】
近年、コンパクトカメラなどの外装材として、合成樹脂製のカバー材に金属材料製のカバー材を組み合わせた複合カバー材が多用されている。この種の複合カバー材は接着剤などによって各カバー材を固定させていたので、接着剤の塗布、貼り付け、乾燥などに時間と手間がかかっていた。また、こうした複合カバー材に光を透過させるための窓部を設ける場合には、複合カバー材の内面側に窓部材を接着するなどしており、さらに手間がかかっていた。
【０００３】
【発明の目的】
そこで、本発明は、組み立てが容易なカメラの複合カバー材構造を提供することを目的とする。
【０００４】
【発明の概要】
本発明は、合成樹脂製カバー材の一部に、金属材料製カバー材を被せて固定して外装部を構成したカメラの複合カバー材構造を以下のように構成したことを特徴とする。金属材料製カバー材は、箱形をなすカメラの正面で合成樹脂製カバー材を覆い、周縁部がカメラの一側部に位置する。このカメラの一側部において、合成樹脂製カバー材には、カメラ内方へ向けて板面と略直交する方向に凹部を形成し、金属材料製カバー材の周縁部には、カメラ内方へ向けて板面と略直交する方向に凸部を突出形成し、該凹部と凸部の係合により合成樹脂製カバー材と金属材料製カバー材の周縁部とを係合させる。さらに、カメラの正面に、金属材料製カバー材の外側から止着される第三の表面部材を設け、この第三の表面部材を介して、カメラ正面側で合成樹脂製カバー材と金属材料製カバー材を結合させる。この複合カバー材構造によれば、合成樹脂製カバー材と金属材料製カバー材は、カメラ側部の凹凸部の係合により結合され、カメラの正面では第三の表面部材を介して結合されるので、外観を損なうことなく容易に組み立てることができる。
【０００５】
第三の表面部材を介した結合構造は、以下のように構成することが好ましい。まず、カメラの正面側に、合成樹脂製カバー材と金属材料製カバー材を貫通する貫通穴を設ける。一方、第三の表面部材には、合成樹脂製カバー材と金属材料製カバー材に対向する面に、貫通穴に挿入される弾性変形可能な一対の弾性鈎状部を設ける。そして、一対の弾性鈎状部は、貫通穴を通過するときに互いに接近する方向に弾性変形され該貫通穴を通過すると復元して合成樹脂製カバー材の内面に係合し、該係合により第三の表面部材を抜け止めると共に該第三の表面部材の本体部との間に合成樹脂製カバー材と金属材料製カバー材を挟着する。以上の結合構造によれば、弾性鈎状部を貫通穴に挿入させるだけの簡単な作業で各カバー材を結合させることができる。金属材料製カバーにはさらに、第三の表面部材を止着させた状態で該第三の表面部材の外縁部を全周に亘り嵌合させる凹状の段部を形成することが好ましい。
【０００６】
以上の複合カバー材構造ではさらに、金属材料製カバー材と合成樹脂製カバー材を貫通する窓用開口部を有し、該窓用開口部に透明窓部材が嵌まるように構成してもよい。この場合、透明窓部材は、その外縁に窓用開口部を通過不能な鍔部を有しており、該鍔部が金属材料製カバー材と合成樹脂製カバー材の間に挟着されて透明窓部材が保持されるように構成すれば、透明窓部材を容易に複合カバー材に取り付けることができる。
【０００７】
本発明の複合カバー材構造において、第三の表面部材は例えばカメラのグリップ部とすることが好ましい。
【０００８】
【発明の実施形態】
以下、本発明による複合カバー材構造をコンパクトカメラに適用した実施形態を説明する。実施形態のコンパクトカメラ１０は、図１及び図２の正面図に示すように、正面の略中央部に撮影レンズ１２が設けられ、撮影レンズ１２の上部には、測距用の補助光投光窓１４、測距窓１５、ファインダ対物窓１６、測光窓１８、ストロボ窓２０などの各種窓が設けられている。
【０００９】
横長箱状をなすコンパクトカメラ１０の外装部は、カメラボディ（不図示）に固定された合成樹脂製カバー材３０でほぼ全体が覆われ、カメラ正面部では合成樹脂製カバー材３０に金属材料製カバー材３２を被せて固定した複合カバー材構造となっている（図４及び図５参照）。金属材料製カバー材３２は、図３に単体形状を示す。さらにコンパクトカメラ１０の正面部の一部は、金属材料製カバー材３２とは別部材からなる、撮影時に把持するためのグリップ部（第三の表面部材）３４で覆われている。
【００１０】
合成樹脂製カバー材３０には、コンパクトカメラ１０の両側面と上下面部に亘って、金属材料製カバー材３２の支持位置を決める位置決め面３６がカメラ正面から見て枠状に形成され、金属材料製カバー材３２の周縁部（合成樹脂製カバー材３０との境界部）には、この位置決め面３６に対応する形状の枠状の位置決め面３８が形成されている（図１にハッチングで示す領域）。またコンパクトカメラ１０の一側部（図１ないし図３の向かって右側の側部）においては、合成樹脂製カバー材３０のうち位置決め面３６に隣接する位置に、カメラ内方（合成樹脂製カバー材３０の板面と略直交する方向）に向く有底穴である３つの係合凹部４０が形成され、金属材料製カバー材３２のうち位置決め面３８に隣接する周縁位置に、カメラ内方（金属材料製カバー材３２の板面と略直交する方向）に向けて突出しそれぞれが係合凹部４０に対して係合可能な３つの係合凸部４２が形成されている。３つの係合凹部４０はカメラの上下方向に所定の間隔で配置されており、３つの係合凸部４２は、該３つの係合凹部４０と同間隔となるようにカメラの上下方向に所定の間隔で配置されている。
【００１１】
図１、図３及び図５に示すように、金属材料製カバー材３２には、グリップ部３４の装着位置に、該グリップ部３４の外縁部が全周に亘り嵌合可能な凹状の段部４４を有し、該段部４４の内側は開口部（貫通穴）４６となっている。段部４４は図１ではハッチングで示している。合成樹脂製カバー材３０には、開口部４６の内縁位置に沿わせて一対の貫通穴４８が形成されている。本実施形態では一対の貫通穴４８は、正面から見て横長矩形であるコンパクトカメラ１０の長手方向に離間させて設けられている。
【００１２】
グリップ部３４には、合成樹脂製カバー材３０及び金属材料製カバー材３２に対向する面から一対の弾性鈎状部５０が突設されている。一対の弾性鈎状部５０は、先端に向かうほど互いに離間するように延出されており、その先端部にはさらに、互いに離間する方向に曲折された係合爪５２が形成されている。一対の弾性鈎状部５０の間隔は、グリップ部３４の本体近傍では、上述した金属材料製カバー材３２の開口部４６の左右方向の内縁部の間隔あるいは合成樹脂製カバー材３０の一対の貫通穴４８の間隔（図１及び図５に符合Ｗで示す）とほぼ同じである。一方、一対の弾性鈎状部５０において係合爪５２が設けられた先端部の間隔は、開口部４６の左右方向の内縁部や一対の貫通穴４８の間隔Ｗよりも広くなっている。
【００１３】
合成樹脂製カバー材３０と金属材料製カバー材３２は以下のように結合される。まず、互いの一側部に形成した各３つの係合凹部４０と係合凸部４２を係合させ、位置決め面３８が位置決め面３６に当接するように金属材料製カバー材３２を合成樹脂製カバー材３０に被せる。続いて、グリップ部３４を金属材料製カバー材３２の段部４４に被せるようにして取り付け、該グリップ部３４に設けた一対の弾性鈎状部５０を、金属材料製カバー材３２の開口部４６を通して合成樹脂製カバー材３０の一対の貫通穴４８に挿入させる。このとき、一対の弾性鈎状部５０の先端部の間隔は、開口部４６の左右方向の内縁部の間隔（Ｗ）や一対の貫通穴４８の間隔（Ｗ）よりも大きいため、該一対の弾性鈎状部５０は互いに接近する方向に弾性変形されながら開口部４６と貫通穴４８に挿入される。一対の弾性鈎状部５０は、係合爪５２が貫通穴４８を通過するまで挿入されると互いに接近する方向への弾性変形状態から復元して、各係合爪５２が合成樹脂製カバー材３０の内面に係合する。これによりグリップ部３４が合成樹脂製カバー材３０に対して抜け止められる。図５ないし図７は以上のようにしてグリップ部３４を装着した状態を示している。該装着状態では、グリップ部３４の外縁部と該グリップ部３４が抜け止められた合成樹脂製カバー材３０との間に金属材料製カバー材３２の段部４４が挟着されている。換言すれば、グリップ部３４の本体部と係合爪５２との間に合成樹脂製カバー材３０と金属材料製カバー材３２が挟着されて結合されている。
【００１４】
以上のように、合成樹脂製カバー材３０と金属材料製カバー材３２は、カメラの一側部では係合凹部４０と係合凸部４２を介して直接に係合され、カメラ正面側ではグリップ部３４を介して結合されることで、互いが確実に固定される。該固定は凹凸部や弾性鈎状部の係合によって行われるものなので、組み立てが容易であり、接着剤や溶着など別の固定手段を用いずに合成樹脂製カバー材３０と金属材料製カバー材３２を固定させることも可能である。また、合成樹脂製カバー材３０と金属材料製カバー材３２を結合させるためのグリップ部３４自体が、弾性鈎状部の係合によって抜け止められていることにもなる。したがって、合成樹脂製カバー材３０、金属材料製カバー材３２及びグリップ部３４からなるコンパクトカメラ１０の外装部を、短時間で簡単に組み立てることが可能である。
【００１５】
また本実施形態では、上述したカメラ正面の各窓部も合成樹脂製カバー材３０と金属材料製カバー材３２を組み合わせるだけで容易に構成することができる。図４に示すように、測距窓１５、ファインダ対物窓１６、測光窓１８、ストロボ窓２０の各窓部に対応する位置には、合成樹脂製カバー材３０と金属材料製カバー材３２を貫通させて窓用開口部５６、５８、５９、６０が形成されている。合成樹脂製カバー材３０のうち金属材料製カバー材３２対向する面には、窓用開口部５６、５８、５９、６０の周囲に枠状の拡張凹部５６ａ、５８ａ、５９ａ、６０ａが形成されており、該拡張凹部５６ａ、５８ａ、５９ａ、６０ａによって、各窓用開口部では、合成樹脂製カバー材３０と金属材料製カバー材３２が接する中間部分の開口面積がその前後の開口面積よりも大きくなっている。一方、窓用開口部５６、５８、５９、６０に嵌まる透明窓カバー６２、６４、６５、６６の外縁部分には、拡張凹部５６ａ、５８ａ、５９ａ、６０ａの前後の窓用開口部５６、５８、５９、６０は通過不能で、拡張凹部５６ａ、５８ａ、５９ａ、６０ａに対しては嵌合可能な鍔部６２ａ、６４ａ、６５ａ、６６ａが形成されている。
【００１６】
各窓部を構成するには、透明窓カバー６２、６４、６５、６６の鍔部６２ａ、６４ａ、６５ａ、６６ａを窓用拡張凹部５６ａ、５８ａ、５９ａ、６０ａに支持させた状態で、合成樹脂製カバー材３０と金属材料製カバー材３２を上述の手法で固定すればよい。すると、各鍔部６２ａ、６４ａ、６５ａ、６６ａが窓用拡張凹部５６ａ、５８ａ、５９ａ、６０ａ内に保持されて、透明窓カバー６２、６４、６５、６６は窓用開口部５６、５８、５９、６０に対して前後いずれの方向にも脱落しないように抜け止められる。透明窓カバー６２、６４、６５、６６は、合成樹脂製カバー材３０と金属材料製カバー材３２を互いに固定すれば該抜け止め状態で保持されるので、極めて容易に窓部を組み立てることができる。なお、以上では図４に図示される断面位置の関係から測距窓１５、ファインダ対物窓１６、測光窓１８、ストロボ窓２０についてのみ説明したが、補助光投光窓１４に関しても測距窓１５などと同様に構成されているものとする。
【００１７】
以上の説明から明らかなように、本実施形態の複合カバー材構造によれば、合成樹脂製カバー材３０、金属材料製カバー材３２、グリップ部３４、それに各窓部を含めたコンパクトカメラ１０の外装部全体の組み立てを、カメラ側部における凹凸部の係合とカメラ正面へのグリップ部３４の取り付けによって行うことができるので、組み立てにかかる時間及び手間を少なくして生産性を向上させることができる。特に、グリップ３４は、一対の弾性鈎状部５０を開口部４６と貫通穴４８に挿入させるのみで複合カバー材を結合させることが可能であるから、組み立て作業を極めて容易に行える。
【００１８】
なお、本実施形態の複合カバー材構造では接着剤を補助的に用いてもよい。この場合、各カバー部材の基本的な結合は上述した凹凸部や弾性鈎状部の係合によって達成されているので、補助的に用いる接着剤の量や塗布面積は最小限で済ませることができる。よって、従来の複合カバー材構造に比して生産性の向上が見込める。
【００１９】
但し、本発明は図示の実施形態に限定されるものではない。例えば、合成樹脂製カバー材と金属材料製カバー材を結合させる第三の表面部材はグリップ部以外の部位であってもよい。
【００２０】
【発明の効果】
以上のように、本発明によれば、組み立てが容易な複合カバー材構造、及びカメラの複合カバー材構造を提供することができる。
【図面の簡単な説明】
【図１】本発明による複合カバー材構造をコンパクトカメラに適用した実施形態を示す正面図である。
【図２】図１において、外形線のみを描いた正面図である。
【図３】金属材料製カバー部材を単体で示す正面図である。
【図４】図１のIV‐IV線に沿う断面図である。
【図５】図１のV‐V線に沿う断面図である。
【図６】図５のVI部拡大断面図である。
【図７】図５のVII部拡大断面図である。
【図８】図４のVIII部大断面図である。
【符号の説明】
１０  コンパクトカメラ
１２  撮影レンズ
１４  補助光投光窓
１５  測距窓
１６  ファインダ対物窓
１８  測光窓
２０  ストロボ窓
３０  合成樹脂製カバー材
３２  金属材料製カバー材
３４  グリップ部（第三の表面部材）
４０  係合凹部
４２  係合凸部
４４  段部
４６  開口部（貫通穴）
４８  貫通穴
５０  弾性鈎状部
５２  係合爪
５６  ５８  ５９  ６０  窓用開口部
５６ａ  ５８ａ  ５９ａ  ６０ａ  拡張凹部
６２  ６４  ６５  ６６  透明窓カバー
６２ａ  ６４ａ  ６５ａ  ６６ａ  鍔部
【図１】
0004565714.tif 000002
【図２】
0004565714.tif 000003
【図３】
0004565714.tif 000004
【図４】
0004565714.tif 000005
【図５】
0004565714.tif 000006
【図６】
0004565714.tif 000007
【図７】
0004565714.tif 000008
【図８】
0004565714.tif 000009